【事件の表示】
　特願２０１６−１４３２４１「インクジェット式記録装置」拒絶査定不服審判事件〔、請求項の数（９）〕について、次のとおり審決する。
【結　論】
　原査定を取り消す。
　本願の発明は、特許すべきものとする。
【理　由】
第１　手続の経緯
　本願は、平成２８年７月２１日の出願であって、平成２９年１月５日付けで手続補正がされ、同年３月１日付けで拒絶査定（原査定）がされ、これに対し、同年６月５日に拒絶査定不服審判の請求がされると同時に手続補正がされたものである。
第２　原査定の概要
　原査定（平成２９年３月１日付け拒絶査定）の概要は次のとおりである。
　この出願の下記の請求項に係る発明は、その出願日前に日本国内又は外国において、頒布された下記の刊行物に記載された発明又は電気通信回線を通じて公衆に利用可能となった発明に基いて、その出願日前にその発明の属する技術の分野における通常の知識を有する者が容易に発明をすることができたものであるから、特許法第２９条第２項の規定により特許を受けることができない。
・請求項　　：１〜９
・引用文献１：特開２０１３−１５４６１２号公報
　引用文献２：実願昭５４−１６２０００号（実開昭５６−７７８４５号）のマイクロフィルム（周知技術を示す文献）
　引用文献３：特開２０１３−３９７３７号公報（周知技術を示す文献）
　引用文献４：特開２００９−２３４２０８号公報（周知技術を示す文献）
第３　平成２９年６月５日付けの手続補正（以下「本件補正」という。）の適否　
１　補正の内容
　本件補正は、特許請求の範囲について、下記（１）から下記（２）へと補正することを含むものである。　
（１）本件補正前の特許請求の範囲
「【請求項１】
　長尺な記録媒体にインクを吐出するノズルを備え、前記記録媒体の幅方向である主走査方向に移動可能なインクヘッドと、
　前記インクヘッドの下方に配置され、前記記録媒体が配置されるプラテンと、
　前記主走査方向と直交する副走査方向において前記プラテンより上流側に配置され、横断面円弧状に形成された上流側円弧部を備え、前記記録媒体を案内する上流側ガイドと、
　前記副走査方向において前記プラテンより下流側に配置され、横断面円弧状に形成された下流側円弧部を備え、前記記録媒体を案内する下流側ガイドと、
　前記上流側ガイドより下方に配置され、前記記録媒体が巻き付けられた供給軸と、
　前記プラテンに設けられ、前記供給軸から巻き解かれた前記記録媒体を前記副走査方向に搬送する搬送装置と、
　前記下流側ガイドより下方に配置され、印刷後の前記記録媒体を巻き取る巻き取り軸と、
　前記プラテンを加熱する第１ヒータと、
　前記上流側ガイドの前記上流側円弧部を加熱する第２ヒータと、
　前記下流側ガイドの前記下流側円弧部を加熱する第３ヒータと、を備え、
　前記主走査方向から見て、前記上流側ガイドの前記上流側円弧部の第１曲率は、前記下流側ガイドの前記下流側円弧部の第２曲率より大きく設定され、
　前記主走査方向から見て、前記上流側円弧部の前記第１曲率は、前記供給軸に前記記録媒体が最も長く巻き付けられたときの前記記録媒体の第３曲率より小さい、インクジェット式記録装置。
　　【請求項２】
　長尺な記録媒体にインクを吐出するノズルを備え、前記記録媒体の幅方向である主走査方向に移動可能なインクヘッドと、
　前記インクヘッドの下方に配置され、前記記録媒体が配置されるプラテンと、
　前記主走査方向と直交する副走査方向において前記プラテンより上流側に配置され、横断面円弧状に形成された上流側円弧部を備え、前記記録媒体を案内する上流側ガイドと、
　前記副走査方向において前記プラテンより下流側に配置され、横断面円弧状に形成された下流側円弧部を備え、前記記録媒体を案内する下流側ガイドと、
　前記上流側ガイドより下方に配置され、前記記録媒体が巻き付けられた供給軸と、
　前記プラテンに設けられ、前記供給軸から巻き解かれた前記記録媒体を前記副走査方向に搬送する搬送装置と、
　前記下流側ガイドより下方に配置され、印刷後の前記記録媒体を巻き取る巻き取り軸と、
　前記プラテンを加熱する第１ヒータと、
　前記上流側ガイドの前記上流側円弧部を加熱する第２ヒータと、
　前記下流側ガイドの前記下流側円弧部を加熱する第３ヒータと、を備え、
　前記主走査方向から見て、前記上流側ガイドの前記上流側円弧部の第１曲率は、前記下流側ガイドの前記下流側円弧部の第２曲率より大きく設定され、
　前記主走査方向から見て、前記下流側円弧部の前記第２曲率は、前記巻き取り軸に前記記録媒体が最も長く巻き取られたときの前記記録媒体の第４曲率より小さい、インクジェット式記録装置。
　　【請求項３】
　前記上流側円弧部の前記副走査方向の長さは、前記下流側円弧部の前記副走査方向の長さより短い、請求項１または２に記載のインクジェット式記録装置。
　　【請求項４】
　前記主走査方向から見て、前記上流側円弧部の円弧の長さは、前記下流側円弧部の円弧の長さより短い、請求項１から３のいずれか一項に記載のインクジェット式記録装置。
　　【請求項５】
　前記主走査方向から見て、前記上流側円弧部の第１中心角は４５度以上９０度以下であり、前記下流側円弧部の第２中心角は４５度以上９０度以下であり、前記第１中心角は、前記第２中心角以下である、請求項１から４のいずれか一項に記載のインクジェット式記録装置。
　　【請求項６】
　前記主走査方向から見て、前記上流側円弧部の前記第１曲率は、前記供給軸の第５曲率より小さい、請求項１から５のいずれか一項に記載のインクジェット式記録装置。
　　【請求項７】
　前記主走査方向から見て、前記下流側円弧部の前記第２曲率は、前記巻き取り軸の第６曲率より小さい、請求項１から６のいずれか一項に記載のインクジェット式記録装置。
　　【請求項８】
　前記上流側円弧部の第１曲率をＭ１とし、前記下流側円弧部の第２曲率をＭ２としたとき、Ｍ１／Ｍ２は１．１〜２．０である、請求項１から７のいずれか一項に記載のインクジェット式記録装置。
　　【請求項９】
　前記第１ヒータは、前記プラテンに設けられ、
　前記第２ヒータは、前記上流側ガイドに設けられ、
　前記第３ヒータは、前記下流側ガイドに設けられている、請求項１から８のいずれか一項に記載のインクジェット式記録装置。」
（２）本件補正後の特許請求の範囲　
「【請求項１】
　長尺な記録媒体にインクを吐出するノズルを備え、前記記録媒体の幅方向である主走査方向に移動可能なインクヘッドと、
　前記インクヘッドの下方に配置され、前記記録媒体が配置され
、上面が平坦状に形成された
　前記主走査方向と直交する副走査方向において前記プラテンより上流側に配置され、横断面円弧状に形成された上流側円弧部を備え、前記記録媒体を案内する上流側ガイドと、
　前記副走査方向において前記プラテンより下流側に配置され、横断面円弧状に形成された下流側円弧部を備え、前記記録媒体を案内する下流側ガイドと、
　前記上流側ガイドより下方に配置され、前記記録媒体が巻き付けられた供給軸と、
　前記プラテンに設けられ、前記供給軸から巻き解かれた前記記録媒体を前記副走査方向に搬送する搬送装置と、
　前記下流側ガイドより下方に配置され、印刷後の前記記録媒体を巻き取る巻き取り軸と、
　前記プラテンを加熱する第１ヒータと、
　前記上流側ガイドの前記上流側円弧部を加熱する第２ヒータと、
　前記下流側ガイドの前記下流側円弧部を加熱する第３ヒータと、を備え、
　前記主走査方向から見て、前記上流側ガイドの前記上流側円弧部の第１曲率は、前記下流側ガイドの前記下流側円弧部の第２曲率より大きく設定され、
　前記主走査方向から見て、前記上流側円弧部の前記第１曲率は、前記供給軸に前記記録媒体が最も長く巻き付けられたときの前記記録媒体の第３曲率より小さい、インクジェット式記録装置。
　　【請求項２】
　長尺な記録媒体にインクを吐出するノズルを備え、前記記録媒体の幅方向である主走査方向に移動可能なインクヘッドと、
　前記インクヘッドの下方に配置され、前記記録媒体が配置され
、上面が平坦状に形成された
　前記主走査方向と直交する副走査方向において前記プラテンより上流側に配置され、横断面円弧状に形成された上流側円弧部を備え、前記記録媒体を案内する上流側ガイドと、
　前記副走査方向において前記プラテンより下流側に配置され、横断面円弧状に形成された下流側円弧部を備え、前記記録媒体を案内する下流側ガイドと、
　前記上流側ガイドより下方に配置され、前記記録媒体が巻き付けられた供給軸と、
　前記プラテンに設けられ、前記供給軸から巻き解かれた前記記録媒体を前記副走査方向に搬送する搬送装置と、
　前記下流側ガイドより下方に配置され、印刷後の前記記録媒体を巻き取る巻き取り軸と、
　前記プラテンを加熱する第１ヒータと、
　前記上流側ガイドの前記上流側円弧部を加熱する第２ヒータと、
　前記下流側ガイドの前記下流側円弧部を加熱する第３ヒータと、を備え、
　前記主走査方向から見て、前記上流側ガイドの前記上流側円弧部の第１曲率は、前記下流側ガイドの前記下流側円弧部の第２曲率より大きく設定され、
　前記主走査方向から見て、前記下流側円弧部の前記第２曲率は、前記巻き取り軸に前記記録媒体が最も長く巻き取られたときの前記記録媒体の第４曲率より小さい、インクジェット式記録装置。
　　【請求項３】
　前記上流側円弧部の前記副走査方向の長さは、前記下流側円弧部の前記副走査方向の長さより短い、請求項１または２に記載のインクジェット式記録装置。
　　【請求項４】
　前記主走査方向から見て、前記上流側円弧部の円弧の長さは、前記下流側円弧部の円弧の長さより短い、請求項１から３のいずれか一項に記載のインクジェット式記録装置。
　　【請求項５】
　前記主走査方向から見て、前記上流側円弧部の第１中心角は４５度以上９０度以下であり、前記下流側円弧部の第２中心角は４５度以上９０度以下であり、前記第１中心角は、
前記第２中心角以下である、請求項１から４のいずれか一項に記載のインクジェット式記録装置。
　　【請求項６】
　前記主走査方向から見て、前記上流側円弧部の前記第１曲率は、前記供給軸の第５曲率より小さい、請求項
１
　　【請求項７】
　前記主走査方向から見て、前記下流側円弧部の前記第２曲率は、前記巻き取り軸の第６曲率より小さい、請求項
２
　　【請求項８】
　前記上流側円弧部の第１曲率をＭ１とし、前記下流側円弧部の第２曲率をＭ２としたとき、Ｍ１／Ｍ２は１．１〜２．０である、請求項１から７のいずれか一項に記載のインクジェット式記録装置。
　　【請求項９】
　前記第１ヒータは、前記プラテンに設けられ、
　前記第２ヒータは、前記上流側ガイドに設けられ、
　前記第３ヒータは、前記下流側ガイドに設けられている、請求項１から８のいずれか一項に記載のインクジェット式記録装置。」（下線は平成２９年６月５日付けの手続補正書のとおり。）
２　補正の適否　
　審判請求時の補正は、特許法第１７条の２第３項乃至第６項までの要件に違反しているものとはいえない。
　そして、「第４　本願発明」から「第６　対比・判断」までに示すように、補正後の請求項１乃至９に係る発明は、独立特許要件を満たすものである。
第４　本願発明
　本願請求項１乃至９に係る発明（以下、それぞれ「本願発明１」乃至「本願発明９」という。）は、平成２９年６月５日付け手続補正書の特許請求の範囲の請求項１乃至請求項９に記載された事項により特定される、上記「第３　１　（２）本件補正後の特許請求の範囲」に記載したとおりのものと認める。
第５　引用刊行物等
１　引用文献１について
　原査定の拒絶の理由に引用され、本願の出願日前の平成２５年８月１５日に頒布された引用文献１（特開２０１３−１５４６１２号公報）には、図面とともに次の事項が記載されている。（なお、下線は審決で付した。以下同じ。）　
（１）「【特許請求の範囲】
【請求項１】
　
搬送経路に沿って上流側から下流側へ搬送されるターゲットに対して低蒸気圧溶媒を含む液体をノズルから噴射可能な液体噴射ヘッドと、
　前記搬送経路の一部を形成し、前記ターゲットを前記液体噴射ヘッドと対向するように支持するメイン支持部と、
　前記メイン支持部を加熱するメイン加熱部と、
　前記メイン支持部の温度が３５〜４０℃となるように前記メイン加熱部を制御する制御部と
を備えたことを特徴とする液体噴射装置
【請求項２】
　
前記搬送経路の一部を形成し、前記搬送経路における前記メイン支持部の上流側で前記ターゲットを支持する上流側支持部と、
　前記上流側支持部を加熱する上流側加熱部と
を備え、
　前記制御部は、前記上流側支持部の温度が３５〜４０℃となるように前記上流側加熱部を制御することを特徴とする請求項１に記載の液体噴射装置
（２）「【００１９】
　
搬送ユニット１３は、搬送経路の上流側でロール状のフィルムＦを支持するとともに該フィルムＦを巻き解きながら搬送経路に沿って下流側へ繰り出す繰出軸１５と、繰出軸１５から繰り出されたフィルムＦを下流側で巻き取る巻取軸１６とを備えている
【００２０】
　繰出軸１５及び巻取軸１６は、フィルムＦの搬送方向と直交する幅方向に延びる軸線を中心に回転可能に構成されるとともに、互いに平行となるように延びている。繰出軸１５には、フィルムＦが繰り出される方向に該繰出軸１５を回転駆動する繰出モーター１７（図３参照）が設けられている。一方、巻取軸１６には、フィルムＦが巻き取られる方向に該巻取軸１６を回転駆動する巻取モーター１８（図３参照）が設けられている。
【００２１】
　
フィルムＦの搬送経路の途中位置には、該搬送経路の一部を形成するとともに繰出軸１５から巻取軸１６に向かって搬送されるフィルムＦを一方側（図１では下側）から支持する略矩形板状のメイン支持部２０が配置されている。そして、メイン支持部２０におけるフィルムＦを支持する面は、水平な印刷支持面２０ａとされている
【００２２】
　
フィルムＦの搬送経路におけるメイン支持部２０の上流側には、該搬送経路の一部を形成するとともにフィルムＦを一方側（図１では下側）から支持する板状の上流側支持部２１がメイン支持部２０と隣り合うように配置されている。上流側支持部２１は、下流側へ向かうほど高さが高くなるように湾曲（屈曲）されている。そして、上流側支持部２１におけるフィルムＦを支持する面は、上流側支持面２１ａとされている
【００２３】
　
フィルムＦの搬送経路におけるメイン支持部２０の下流側には、該搬送経路の一部を形成するとともにフィルムＦを一方側（図１では下側）から支持する板状の下流側支持部２２がメイン支持部２０と隣り合うように配置されている。下流側支持部２２は、下流側へ向かうほど高さが低くなるように湾曲（屈曲）されている。そして、下流側支持部２２におけるフィルムＦを支持する面は、下流側支持面２２ａとされている
（３）「【００２５】
　図１及び図２に示すように、メイン支持部２０における印刷支持面２０ａとは反対側の面には、メイン支持部２０を加熱するメイン加熱部としての印刷ヒーター２３が蛇行状に這うように設けられている。さらに、メイン支持部２０における印刷支持面２０ａとは反対側の面には、メイン支持部２０の温度を検出する印刷温度センサー２４が設けられている。
【００２６】
　上流側支持部２１における上流側支持面２１ａとは反対側の面には、上流側支持部２１を加熱する上流側加熱部としての上流側ヒーター２５が蛇行状に這うように設けられている。さらに、上流側支持部２１における上流側支持面２１ａとは反対側の面には、上流側支持部２１の温度を検出する上流側温度センサー２６が設けられている。
【００２７】
　
下流側支持部２２における下流側支持面２２ａとは反対側の面には、下流側支持部２２を加熱する下流側ヒーター２７が蛇行状に這うように設けられている
【００２８】
　図１に示すように、
フィルムＦの搬送経路におけるメイン支持部２０と上流側支持部２１との間には、上流側支持面２１ａ上のフィルムＦを挟持しながら印刷支持面２０ａ上へ搬送する第１搬送ローラー対３０が配置されている。一方、フィルムＦの搬送経路におけるメイン支持部２０と下流側支持部２２との間には、印刷支持面２０ａ上のフィルムＦを挟持しながら下流側支持面２２ａ上へ搬送する第２搬送ローラー対３１が配置されている
（４）「【００３１】
　図１に示すように、液体噴射ユニット１４は、メイン支持部２０の上方に配置されたキャリッジ４０と、キャリッジ４０の下端部にメイン支持部２０の印刷支持面２０ａと対向するように支持された液体噴射ヘッドとしての記録ヘッド４１とを備えている。したがって、メイン支持部２０は、フィルムＦを記録ヘッド４１と対向するように支持する。
【００３２】
　キャリッジ４０は、本体フレーム１２に設けられたガイド部材４２によってフィルムＦの搬送方向と直交する幅方向に移動可能に支持されている。ガイド部材４２は、キャリッジ４０よりもフィルムＦの搬送経路の上流側に位置するとともに、フィルムＦの搬送方向と直交する幅方向に延びている。」
（５）上記(４)より、液体噴射ヘッドとしての記録ヘッド４１を下端部に備えキャリッジ４０がフィルムＦの搬送方向と直交する幅方向に移動可能に支持されていることから、
液体噴射ヘッドは、フィルムの搬送方向と直交する幅方向に移動可能である
（６）上記（２）、及び図１より、搬送経路の上流側でロール状のフィルムＦを支持するとともに該フィルムＦを巻き解きながら搬送経路に沿って下流側へ繰り出す繰出軸１５を備え、上流側支持部２１は、下流側へ向かうほど高さが高くなるように湾曲（屈曲）されているから、
繰出軸は、上流側支持部より下方に配置された
巻取軸は、下流側支持部より下方に配置された
　そうすると、上記（１）乃至（６）の記載事項から、引用文献１には、次の発明（以下「引用発明１」という。）が記載されているものと認められる。
「搬送経路に沿って上流側から下流側へ搬送されるターゲットに対して低蒸気圧溶媒を含む液体をノズルから噴射可能で、フィルムの搬送方向と直交する幅方向に移動可能である液体噴射ヘッドと、
　前記搬送経路の一部を形成し、前記ターゲットを前記液体噴射ヘッドと対向するように支持するメイン支持部と、
　前記メイン支持部を加熱するメイン加熱部と、
　前記メイン支持部の温度が３５〜４０℃となるように前記メイン加熱部を制御する制御部と
を備え、
　前記搬送経路の一部を形成し、前記搬送経路における前記メイン支持部の上流側で前記ターゲットを支持する上流側支持部と、
　前記上流側支持部を加熱する上流側加熱部と
を備え、
　前記制御部は、前記上流側支持部の温度が３５〜４０℃となるように前記上流側加熱部を制御し、
　搬送ユニットは、搬送経路の上流側でロール状のフィルムを支持するとともに該フィルムを巻き解きながら搬送経路に沿って下流側へ繰り出し、上流側支持部より下方に配置された繰出軸と、繰出軸から繰り出されたフィルムを下流側で巻き取り、下流側支持部より下方に配置された巻取軸とを備え、
　フィルムの搬送経路の途中位置には、該搬送経路の一部を形成するとともに繰出軸から巻取軸に向かって搬送されるフィルムを一方側から支持する略矩形板状のメイン支持部が配置され、メイン支持部におけるフィルムを支持する面は、水平な印刷支持面とされ、
　フィルムの搬送経路におけるメイン支持部と上流側支持部との間には、上流側支持面上のフィルムを挟持しながら印刷支持面上へ搬送する第１搬送ローラー対が配置され、一方、フィルムの搬送経路におけるメイン支持部と下流側支持部との間には、印刷支持面上のフィルムを挟持しながら下流側支持面上へ搬送する第２搬送ローラー対が配置され、
　フィルムの搬送経路におけるメイン支持部の上流側には、該搬送経路の一部を形成するとともにフィルムを一方側から支持する板状の上流側支持部がメイン支持部と隣り合うように配置され、上流側支持部は、下流側へ向かうほど高さが高くなるように湾曲（屈曲）され、上流側支持部におけるフィルムを支持する面は、上流側支持面とされ、
　フィルムの搬送経路におけるメイン支持部の下流側には、該搬送経路の一部を形成するとともにフィルムを一方側から支持する板状の下流側支持部がメイン支持部と隣り合うように配置され、下流側支持部は、下流側へ向かうほど高さが低くなるように湾曲（屈曲）され、下流側支持部におけるフィルムを支持する面は、下流側支持面とされ、
　下流側支持部における下流側支持面とは反対側の面には、下流側支持部を加熱する下流側ヒーターが蛇行状に這うように設けられている、液体噴射装置。」
２　引用文献２について
　原査定の拒絶の理由に引用され、本願の出願日前の昭和５６年６月２４日に頒布された引用文献２（実願昭５４−１６２０００号（実開昭５６−７７８４５号）のマイクロフィルム）には、図面とともに次の事項が記載されている。
（１）「２　実用新案登録請求の範囲
　
ロール複写紙を使用する複写機の帯電部に、複写紙の巻きぐせに応じた曲率を持つペーパーガイドを設け、前記複写紙が前記ペーパーガイドに沿つて搬送されるようにしたことを特徴とする、帯電部におけるペーパーガイド
（２）「技術分野
　本考案はロール複写紙を使用する電子写真複写機又はリーダープリンタ等の複写機において、複写紙上に均一な帯電を施すための帯電部におけるペーパーガイドの形状に関するものである。」(１頁１１〜１５行)
（３）「目的
　本考案は以上のような問題点に鑑みてなされたもので、巻きぐせを持つ複写紙にも均一な帯電を施して、良好な画像の複写紙を得ることができるようにすることを目的としている。」（２頁１９行〜３頁３行）
（４）「複写紙（Ｐ）は図面下向の巻きぐせを持つているが、ペーパーガイド（３）は上述の通り、この巻きぐせに応じた曲率を持つているため、同複写紙（Ｐ）はペーパーガイド（３）から浮きあがることなくチヤージヤ（４）の下を通過する。」（４頁３〜７行）
　そうすると、上記（１）乃至（４）の記載事項から、引用文献２には、次の技術事項（以下「引用文献２記載の技術事項」という。）が記載されているものと認められる。
「ロール複写紙を使用する複写機の帯電部に、複写紙の巻きぐせに応じた曲率を持つペーパーガイドを設け、前記複写紙が前記ペーパーガイドに沿つて搬送されるようにした、帯電部におけるペーパーガイド。」
３　引用文献３について
　原査定の拒絶の理由に引用され、本願の出願日前の平成２５年２月２８日に頒布された引用文献３（特開２０１３−３９７３７号公報）には、図面とともに次の事項が記載されている。
（１）「【技術分野】
【０００１】
　本発明は、記録装置に関する。」
（２）「【発明が解決しようとする課題】
【０００５】
　ところで、インクの乾燥に関して、着弾時の記録媒体の記録面温度は高温であるほど好ましいが、印字領域において記録媒体を急激に加熱してしまうと、熱膨張による伸び等によって印字不良の原因となるシワが発生する。このシワに対し、従来では、上記予熱装置を設け、印字領域に入る前に記録媒体を予熱して熱膨張差を軽減することによるシワ対策を講じている。すなわち、印字領域における目標温度と、予熱装置における加熱温度とを同等にするよう温度制御している。
【０００６】
　しかしながら、このように温度制御しても、実際問題、
予熱装置における加熱が不十分となって、記録媒体にシワが発生する事例がみられている。この原因としては、例えば、上記従来技術のように、記録媒体を支持する支持部材の加熱による熱伝導方式を採用する場合、記録媒体との接触不良によって、加熱が不十分となることが考えられる
　そうすると、上記（１）及び(２)の記載事項から、引用文献３には、次の技術事項（以下「引用文献３記載の技術事項」という。）が記載されているものと認められる。
「記録媒体を支持する支持部材の加熱による熱伝導方式を採用する場合、記録媒体との接触不良によって、加熱が不十分となって、記録媒体にシワが発生するという課題。」
４　引用文献４について
　原査定の拒絶の理由に引用され、本願の出願日前の平成２１年１０月１５日に頒布された引用文献４（特開２００９−２３４２０８号公報）には、図面とともに次の事項が記載されている。
（１）「【特許請求の範囲】
【請求項１】
　
記録ヘッドと対向配置された支持板と、
　前記支持板の表面に沿って移動して用紙を搬送する搬送ベルトとを有し、
　前記支持板の表面は、前記用紙の搬送方向を含む基準平面に対して湾曲する湾曲面に形成されていることを特徴とする画像形成装置
【請求項２】
　
請求項１記載の画像形成装置において、
　前記湾曲面は、前記用紙の変形特性に応じて設定されることを特徴とする画像形成装置
（２）「【技術分野】
【０００１】
　本発明は、画像形成装置に関するものである。」
（３）「【発明が解決しようとする課題】
【０００５】
　しかしながら、上述したような従来技術には、以下のような問題が存在する。
　シワ等の紙クセを有する用紙が搬送された場合には、紙クセが除去しきれない状態で用紙を吸着してしまう可能性があり、やはりインクの着弾精度が十分に確保されているとはいえなかった。
【０００６】
　本発明は、以上のような点を考慮してなされたもので、用紙のクセによる悪影響を排除して画像形成精度を向上できる画像形成装置を提供することを目的とする。」
　そうすると、上記（１）乃至（３）の記載事項から、引用文献４には、次の技術事項（以下「引用文献４記載の技術事項」という。）が記載されているものと認められる。
「記録ヘッドと対向配置された支持板と、
　前記支持板の表面に沿って移動して用紙を搬送する搬送ベルトとを有し、
　前記支持板の表面は、前記用紙の搬送方向を含む基準平面に対して湾曲する湾曲面に形成され、
　前記湾曲面は、前記用紙の変形特性に応じて設定される、画像形成装置。」
第６　対比・判断
１　本願発明１について
（１）対比
　そこで、本願発明１と引用発明１とを対比すると、
　後者の「ロール状のフィルム」、「『低蒸気圧溶媒を含む液体を噴射可能な』『ノズル』」、「フィルムの搬送方向と直交する幅方向に移動可能である液体噴射ヘッド」、「『フィルムを支持する面が、水平な印刷支持面』である『搬送経路の一部を形成し、ターゲットを液体噴射ヘッドと対向するように支持するメイン支持部』」、「『メイン支持部と隣り合うように配置され』、『フィルムを支持する面は、上流側支持面』であり、『フィルムの搬送経路におけるメイン支持部の上流側で、該搬送経路の一部を形成するとともにフィルムを一方側から支持する板状の上流側支持部』」、「『メイン支持部と隣り合うように配置され』、『フィルムを支持する面は、下流側支持面』であり、『フィルムの搬送経路におけるメイン支持部の下流側には、該搬送経路の一部を形成するとともにフィルムを一方側から支持する板状の下流側支持部』」、「搬送経路の上流側でロール状のフィルムを支持するとともに該フィルムを巻き解きながら搬送経路に沿って下流側へ繰り出し、上流側支持部より下方に配置された繰出軸」、「『フィルムの搬送経路におけるメイン支持部と上流側支持部との間で、上流側支持面上のフィルムを挟持しながら印刷支持面上へ搬送する第１搬送ローラー対』、及び『フィルムの搬送経路におけるメイン支持部と下流側支持部との間には、印刷支持面上のフィルムを挟持しながら下流側支持面上へ搬送する第２搬送ローラー』」、「繰出軸から繰り出されたフィルムを下流側で巻き取り、下流側支持部より下方に配置された巻取軸」、「メイン支持部を加熱するメイン加熱部」、「上流側支持部を加熱する上流側加熱部」、「下流側支持部を加熱する下流側ヒーター」は、それぞれ、前者の「長尺な記録媒体」、「インクを吐出するノズル」、「記録媒体の幅方向である主走査方向に移動可能なインクヘッド」、「インクヘッドの下方に配置され、前記記録媒体が配置され、上面が平坦状に形成されたプラテン」、「主走査方向と直交する副走査方向において前記プラテンより上流側に配置され、前記記録媒体を案内する上流側ガイド」、「副走査方向において前記プラテンより下流側に配置され、前記記録媒体を案内する下流側ガイド」、「上流側ガイドより下方に配置され、前記記録媒体が巻き付けられた供給軸」、「プラテンに設けられ、前記供給軸から巻き解かれた前記記録媒体を前記副走査方向に搬送する搬送装置」、「下流側ガイドより下方に配置され、印刷後の前記記録媒体を巻き取る巻き取り軸」、「プラテンを加熱する第１ヒータ」、「上流側ガイドの前記上流側円弧部を加熱する第２ヒータ」、「下流側ガイドの前記下流側円弧部を加熱する第３ヒータ」に相当する。
　したがって、両者は、　
「長尺な記録媒体にインクを吐出するノズルを備え、前記記録媒体の幅方向である主走査方向に移動可能なインクヘッドと、
　前記インクヘッドの下方に配置され、前記記録媒体が配置され、上面が平坦状に形成されたプラテンと、
　前記主走査方向と直交する副走査方向において前記プラテンより上流側に配置され、前記記録媒体を案内する上流側ガイドと、
　前記副走査方向において前記プラテンより下流側に配置され、前記記録媒体を案内する下流側ガイドと、
　前記上流側ガイドより下方に配置され、前記記録媒体が巻き付けられた供給軸と、
　前記プラテンに設けられ、前記供給軸から巻き解かれた前記記録媒体を前記副走査方向に搬送する搬送装置と、
　前記下流側ガイドより下方に配置され、印刷後の前記記録媒体を巻き取る巻き取り軸と、
　前記プラテンを加熱する第１ヒータと、
　前記上流側ガイドの前記上流側円弧部を加熱する第２ヒータと、
　前記下流側ガイドの前記下流側円弧部を加熱する第３ヒータと、を備えた、インクジェット式記録装置。」
の点で一致し、以下の点で相違している。
［相違点１］
　本願発明１が、「横断面円弧状に形成された上流側円弧部を備え」た記録媒体を案内する上流側ガイドと、「横断面円弧状に形成された下流側円弧部を備え」た記録媒体を案内する下流側ガイドと、を備え、「主走査方向から見て、上流側ガイドの上流側円弧部の第１曲率は、下流側ガイドの下流側円弧部の第２曲率より大きく設定され、主走査方向から見て、上流側円弧部の前記第１曲率は、供給軸に記録媒体が最も長く巻き付けられたときの記録媒体の第３曲率より小さい」のに対し、引用発明１は、「下流側へ向かうほど高さが高くなるように湾曲（屈曲）され」た上流側支持面と、「下流側へ向かうほど高さが低くなるように湾曲（屈曲）され」た下流側支持面を備えている点。
（２）判断
　上記相違点１について以下検討する。
　上記相違点１に係る本願発明１の発明特定事項の「主走査方向から見て、上流側ガイドの上流側円弧部の第１曲率は、下流側ガイドの下流側円弧部の第２曲率より大きく設定され、主走査方向から見て、上流側円弧部の前記第１曲率は、供給軸に記録媒体が最も長く巻き付けられたときの記録媒体の第３曲率より小さい」は、上記各引用文献に記載の技術事項のいずれにも、記載も示唆もされていないし、設計的事項といえる理由はない。
　そして、本願発明１は、上記相違点１に係る本願発明１の発明特定事項により、「本発明のインクジェット式記録装置によると、主走査方向から見て、上流側円弧部の第１曲率は、下流側円弧部の第２曲率より大きく設定されている。このため、冷えた状態の記録媒体に第２ヒータが予備的に熱を加えることによって記録媒体の反りを矯正するために、上流側円弧部の曲率を、供給軸から搬送される記録媒体の反りに合わせて設定することができる。これにより、上流側ガイドにおいて未矯正で反りが大きい記録媒体が上流側ガイドから浮き上がることによって発生し得るしわや弛みを抑制することができる。」（【０００９】参照。）という作用効果を奏するものである。
　したがって、本願発明１は、引用発明１、及び上記各引用文献に記載の技術事項に基づいて、当業者が容易に発明をすることができたものとすることはできない。
　
２　本願発明２について
（１）対比
　そこで、本願発明２と引用発明１とを対比すると、本願発明１と本願発明２とは、
「長尺な記録媒体にインクを吐出するノズルを備え、前記記録媒体の幅方向である主走査方向に移動可能なインクヘッドと、
　前記インクヘッドの下方に配置され、前記記録媒体が配置され、上面が平坦状に形成されたプラテンと、
　前記主走査方向と直交する副走査方向において前記プラテンより上流側に配置され、横断面円弧状に形成された上流側円弧部を備え、前記記録媒体を案内する上流側ガイドと、
　前記副走査方向において前記プラテンより下流側に配置され、横断面円弧状に形成された下流側円弧部を備え、前記記録媒体を案内する下流側ガイドと、
　前記上流側ガイドより下方に配置され、前記記録媒体が巻き付けられた供給軸と、
　前記プラテンに設けられ、前記供給軸から巻き解かれた前記記録媒体を前記副走査方向に搬送する搬送装置と、
　前記下流側ガイドより下方に配置され、印刷後の前記記録媒体を巻き取る巻き取り軸と、
　前記プラテンを加熱する第１ヒータと、
　前記上流側ガイドの前記上流側円弧部を加熱する第２ヒータと、
　前記下流側ガイドの前記下流側円弧部を加熱する第３ヒータと、を備え、
　前記主走査方向から見て、前記上流側ガイドの前記上流側円弧部の第１曲率は、前記下流側ガイドの前記下流側円弧部の第２曲率より大きく設定された、インクジェット式記録装置。」
である点で共通するものであるから、上記「１（１）」を踏まえると、本願発明２と引用発明１とは、
「長尺な記録媒体にインクを吐出するノズルを備え、前記記録媒体の幅方向である主走査方向に移動可能なインクヘッドと、
　前記インクヘッドの下方に配置され、前記記録媒体が配置され、上面が平坦状に形成されたプラテンと、
　前記主走査方向と直交する副走査方向において前記プラテンより上流側に配置され、前記記録媒体を案内する上流側ガイドと、
　前記副走査方向において前記プラテンより下流側に配置され、前記記録媒体を案内する下流側ガイドと、
　前記上流側ガイドより下方に配置され、前記記録媒体が巻き付けられた供給軸と、
　前記プラテンに設けられ、前記供給軸から巻き解かれた前記記録媒体を前記副走査方向に搬送する搬送装置と、
　前記下流側ガイドより下方に配置され、印刷後の前記記録媒体を巻き取る巻き取り軸と、
　前記プラテンを加熱する第１ヒータと、
　前記上流側ガイドの前記上流側円弧部を加熱する第２ヒータと、
　前記下流側ガイドの前記下流側円弧部を加熱する第３ヒータと、を備えた、インクジェット式記録装置。」
の点で一致し、以下の点で相違している。
［相違点２］　
　本願発明２が、「横断面円弧状に形成された上流側円弧部を備え」た記録媒体を案内する上流側ガイドと、「横断面円弧状に形成された下流側円弧部を備え」た記録媒体を案内する下流側ガイドと、を備え、「主走査方向から見て、上流側ガイドの上流側円弧部の第１曲率は、下流側ガイドの下流側円弧部の第２曲率より大きく設定され、主走査方向から見て、下流側円弧部の第２曲率は、巻き取り軸に記録媒体が最も長く巻き取られたときの記録媒体の第４曲率より小さい」のに対し、引用発明１は、「下流側へ向かうほど高さが高くなるように湾曲（屈曲）され」た上流側支持面と、「下流側へ向かうほど高さが低くなるように湾曲（屈曲）され」た下流側支持面を備えている点。
（２）判断
　上記相違点２について以下検討する。
　上記相違点２に係る本願発明２の発明特定事項の「主走査方向から見て、上流側ガイドの上流側円弧部の第１曲率は、下流側ガイドの下流側円弧部の第２曲率より大きく設定され、主走査方向から見て、下流側円弧部の第２曲率は、巻き取り軸に記録媒体が最も長く巻き取られたときの記録媒体の第４曲率より小さい」は、上記各引用文献に記載の技術事項のいずれにも、記載も示唆もされていないし、設計的事項といえる理由はない。
　そして、本願発明２は、上記相違点２に係る本願発明２の発明特定事項により、「印刷後の記録媒体に加わる物理的な負荷を抑えながら第３ヒータによって乾燥を仕上げるために、下流側円弧部の曲率を、第２ヒータおよび第１ヒータによって反りが矯正された印刷後の記録媒体の反りに合わせて設定することができる。これにより、下流側ガイドにおいて印刷後の記録媒体が必要以上に反った状態で第３ヒータによって加熱されることによって発生し得るインクの割れを抑制することができる。」（【０００９】参照。）という作用効果を奏するものである。
　したがって、本願発明２は、引用発明１、及び上記各引用文献に記載の技術事項に基づいて、当業者が容易に発明をすることができたものとすることはできない。
　
３　本願発明３乃至９について
　本願発明３乃至９は、本願発明１、または本願発明２の発明特定事項に加えてさらなる発明特定事項を追加して限定を付したものであるから、上記「１　（２）」または上記「２　（２）」と同様の理由により、本願発明３乃至９は、引用発明１、及び上記各引用文献に記載の技術事項に基づいて、当業者が容易に発明をすることができたものとすることはできない。
第７　原査定について
　本願発明１は、上記「第６　１　（２）」のとおり、当業者が引用発明１、及び上記各引用文献に記載の技術事項に基づいて容易に発明をすることができたものではない。
　したがって、原査定の理由を維持することはできない。
　また、本願発明２は、上記「第６　２　（２）」のとおり、当業者が引用発明１、及び上記各引用文献に記載の技術事項に基づいて容易に発明をすることができたものではない。
　したがって、原査定の理由を維持することはできない。
　また、本願発明３乃至９は、本願発明１または本願発明２の発明特定事項に加えてさらなる発明特定事項を追加して限定を付したものであるから、上記「第６　１　（２）」または上記「第６　２　（２）」と同様の理由により、引用発明１、及び上記各引用文献に記載の技術事項に基づいて容易に発明をすることができたものではない。
　したがって、原査定の理由を維持することはできない。
第８　むすび
　以上のとおり、原査定の理由によっては、本願を拒絶することはできない。
　また、他に本願を拒絶すべき理由を発見しない。
　よって、結論のとおり審決する。